(57)【要約】本発明は、鼻の分泌物吸引装置に関する。本発明の装置は、真空源（１０）に接続されることができ、開口部（１３）を有している真空チャンバ（９）を規定している中空本体（３）と、人の鼻に挿入されるようにデザインされている第１の開口端（５）と中空本体（３）の開口部（１３）に防水して取外し可能なように固定するための手段を備えている第２の開口端（７）とを有している鼻側末端部（２）とからなっている。本発明によると、第２の端部（７）は、真空源（１０）により真空チャンバ（９）内に発生された真空のもとで不浸透性の変形可能な部材（８）により封止されている。
2008518746.tif 000002
【特許請求の範囲】
【請求項１】
鼻の分泌物吸引装置（１）において、
真空源（１０）に接続されることができ、開口部（１０）を有している真空チャンバ（９）を規定している中空本体（３）と、
個人の鼻内に導入されることを目的とし鼻口に適合されている第１の開口端部（５）と、前記中空本体（３）の開口部（１３）に防水して取外し可能なように固定するための手段が備えられている第２の開口端部（７、２７）とを有する鼻側末端部とを具備し、
この第２の端部（７、２７）は、前記真空源（１０）により前記真空チャンバ（９）内に発生された真空の作用により変形又は移動されることができる不浸透性の部材（８、２１、２３）により封止されていることを特徴とする鼻の分泌物吸引装置（１）。
【請求項２】
前記鼻側末端部（２）の第２の端部（７、２７）を封止している前記部材は、ラテックス又は塩化ビニルのような弾性的に変形可能な不浸透性膜（８）からなっていることを特徴とする請求項１に記載の鼻の分泌物吸引装置（１）。
【請求項３】
前記鼻側末端部（２）の第２の端部（７）を封止している前記部材が、アコーディオンのように折りたたまれた、コートされた紙のような不浸透性の素材（２１）からなっていることを特徴とする請求項１に記載の鼻の分泌物吸引装置（１）。
【請求項４】
前記鼻側末端部（２）の第２の端部（７）には、円筒状で軸方向の管状の延長部（２２）が備えられ、この延長部の内側には、真空の作用により、前記第２の端部（７）の領域に位置している位置と、この第２の端部から離れた位置との間で移動可能なピストン（２３）が収容されていることを特徴とする請求項１に記載の鼻の分泌物吸引装置（１）。
【請求項５】
前記鼻側末端部（２）は、はめ込みにより互いに固定される目的の２つの部分（２６、２７）を有し、前記不浸透性膜（８）は、はめ込みにより固定されたこれら２つの部分（２６、２７）の間にクランプすることにより前記鼻側末端部（２）に固定されていることを特徴とする請求項２に記載の鼻の分泌物吸引装置（１）。
【請求項６】
前記不浸透性膜（８）は、はめ込みにより固定された前記２つの部分（２６、２７）の間に形成されたハウジング内に保持されることを目的とした周方向のフランジ（３２）を有していることを特徴とする請求項５に記載の鼻の分泌物吸引装置（１）。
【請求項７】
前記周方向のフランジ（３２）は、前記鼻側末端部（２）を形成している前記２つの部分（２６、２７）の一方の外壁に形成されている保持部材（３３）と協働することを意図されていることを特徴とする請求項６に記載の鼻の分泌物吸引装置（１）。
【請求項８】
前記鼻側部材（２）を形成している前記２つの部分（２６、２７）は、分解されることができない接続を形成するために、つめ（３０）と、対応する形状のハウジング（３１）とを有しているはめ込みのための手段を有していることを特徴とする請求項５乃至７のいずれか１に記載の鼻の分泌物吸引装置（１）。
【請求項９】
前記鼻側末端部（２）は、真空が前記第２の端部（７、２７）を封止している前記変形可能な又は移動可能な部材（８、２１、２３）にかけられなくなる場合に、前記鼻側末端部（２）の中身を出すことを防止する逆止め弁を前記鼻側末端部の第１の端部（５）に有していることを特徴とする請求項１乃至８のいずれか１に記載の鼻の分泌物吸引装置（１）。
【請求項１０】
前記逆止め弁は、前記真空チャンバ（９）内に真空が発生されていないときに、ばね（１７）の作用により前記第１の端部（５）の開口部（６）に当接して維持されるボール（１６）からなっていることを特徴とする請求項９に記載の鼻の分泌物吸引装置（１）。
【請求項１１】
前記鼻側末端部（２）を前記中空本体（３）に固定するための手段は、ねじ込みにより実行されることを特徴とする請求項１乃至１０のいずれか１に記載の鼻の分泌物吸引装置（１）。
【請求項１２】
前記鼻側末端部（２）を前記中空体（３）に固定するための手段は、つめ、はめ込み、又は差込タイプの手段であることを特徴とする請求項１乃至１０のいずれか１に記載の鼻の分泌物吸引装置（１）。
【請求項１３】
前記中空本体（３）が、電気モータ（１１）により駆動され、前記真空チャンバ（９）内に真空を発生させることを目的とする電気ポンプ（１０）を収容していることを特徴とする請求項１乃至１２のいずれか１に記載の鼻の分泌物吸引装置（１）。
【請求項１４】
前記電気モータ（１１）は、前記中空本体（３）に収容されている複数のバッテリ（１２）又は蓄電池により供給を受けることを特徴とする請求項１３に記載の鼻の分泌物吸引装置（１）。
【請求項１５】
前記真空チャンバ（９）には、吸引管、例えば口内吸引管を取り付けるための吸引末端部が備えられていることを特徴とする請求項１乃至１２のいずれか１に記載の鼻の分泌物吸引装置（１）。
【請求項１６】
前記真空チャンバ（９）は、前記鼻側末端部（２）の第２の端部（７、２７）を封止している前記変形可能な部材（８、２１）の変形を制限することができる壁により規定されていることを特徴とする請求項１乃至１５のいずれか１に記載の鼻の分泌物吸引装置（１）。
【発明の詳細な説明】
【技術分野】
【０００１】
本発明は、鼻の分泌物吸引装置に関する。
【０００２】
この装置を、鼻をかむことに困難を有するどんな人に対しても用いることができる。
【０００３】
しかしながら、この装置は、くしゃみ、又は自分の鼻の分泌物を後部の管を介して飲み込むことを除いて、自分自身でどのように鼻をかめばいいのか分からない幼い子供又は幼児の鼻をかむことを特に目的としている。
【背景技術】
【０００４】
過剰に生じた場合には、鼻の分泌物は、鼻腔をふさぎ、幼い子供や子供が鼻を介して自発的に呼吸している場合には、これら幼い子供や子供にとって重大な呼吸困難を生じさせる。
【０００５】
さらに、中耳の空洞を隔離しているエウスタキオ管は、幼児では、非常に短く、したがって、鼻がつまると、鼻腔の慢性的な詰まりの場合には、滲出液を伴い(se’ro-muqueuse)、アデノイド症状の組織(ade’noide)が２次的に肥大する、慢性の中耳の感染症に転じうる急性の中耳の感染症の増加を促進する。
【０００６】
さらに、上咽頭の感染症は、吸入により、気管気管支(l’arbre trache’o-bronchique)に伝播される。
【０００７】
したがって、幼児や幼い子供の鼻腔の邪魔なものを取り除くことは、衛生と医学の観点から、鼻腔を生理的食塩水で洗浄することへの欠くことのできない補充として本質的である。
【０００８】
抗生物質の点鼻薬を使用することは、幼児や幼い子供がバクテリアに対する抵抗力を増すことを避けるために、強く勧められない。
【０００９】
したがって、幼い子供や幼児のために鼻の分泌物吸引装置を使用することが知られている。
【００１０】
複数のタイプの装置が、知られており、これらは、一般的に真空源に接続された鼻側末端部を有している。
【００１１】
第１のタイプの既知の装置は、鼻側末端部に接続されたゴムのシリンジからなる。  
この装置は、このゴムのシリンジの空気を出すためにこのゴムのシリンジを押し、それから、個人の鼻腔内に鼻側末端部を位置させることにある。それから、このシリンジの圧力をゆるめることにより、このシリンジは、再びその始めの形状をとり、鼻の分泌物が吸引されることを可能とする真空を発生させる。  
このシステムは、激しく、非常に短い真空を発生させ、これは、幼児又は幼い子供にとって気持ちがよくないかもしれない。  
衛生の理由から、この装置の各使用後に、シリンジと鼻側末端部とを洗浄し殺菌する必要がある。この装置は、使い捨てのためのものではない。  
より具体的には、このシリンジの形状のために、この装置の完全な洗浄と殺菌は、困難となる。
【００１２】
第２のタイプの既知の装置は、鼻側末端部に接続された容器に、柔軟な管により接続された口側末端部からなる。  
この装置は、この鼻側末端部を個人の鼻腔内に位置させ、それから、口側末端部を介して鼻の分泌物を吸引することにある。  
このタイプの装置は、もがく傾向のある幼児や幼い子供で実行するには遅すぎるので、使用が困難である。  
さらに、鼻の分泌物が、頻繁に口側末端部内で上昇し、吸引している人を汚しかねない。  
前のように、この装置は、各使用後に洗浄され殺菌されなければならない。
【００１３】
第３のタイプの既知の装置は、電気ポンプに接続された容器を備えた鼻側末端部からなる。  
この装置は、鼻側末端部を個人の鼻腔内に位置させ、電気ポンプにより容器内に真空を発生させ、結果として、鼻の分泌物の吸引を行う。  
前のように、この装置は、各使用後に、洗浄され、殺菌されなければならない。この装置は、使い捨てのためのものではない。  
さらに、このタイプの装置では、容器が電気ポンプから隔離されておらず、この結果として、鼻の分泌物が頻繁に電気ポンプ内で上昇し、この電気ポンプは、汚され、詰まるかもしれない。
【発明の開示】
【発明が解決しようとする課題】
【００１４】
したがって、本発明は、これらの欠点を克服することを目的とする。  
本発明の下にある技術的な問題は、各使用後に洗浄と殺菌とを必要としない鼻の分泌物吸引装置を作り出すことである。
【課題を解決するための手段】
【００１５】
この目的のために、本発明は、鼻の分泌物吸引装置において、  
真空源に接続されることができ、開口部を有している真空チャンバを規定している中空本体と、  
個人の鼻内に導入されることを目的とし鼻口に適合されている第１の開口端部と、前記中空本体の開口部に防水して取外し可能なように固定するための手段が備えられている第２の開口端部とを有する鼻側末端部とを具備し、  
この第２の端部は、前記真空源により前記真空チャンバ内に発生された真空の作用により変形又は移動されることができる不浸透性の(non poreux)部材により封止されていることを特徴とする鼻の分泌物吸引装置に関する。
【００１６】
この結果、前記真空チャンバ内で発生された真空の作用により、前記不浸透性の変形可能な又は移動可能な部材の変形又は移動により、真空が、前記鼻側末端部内に発生される。この鼻側末端部内の真空により分泌物の吸引が確実となる。
【００１７】
結果として、前記装置の使用中には、前記分泌物は、衛生の理由から、各使用後に、取外され捨てられる容器を形成している前記鼻側末端部内に維持される。
【００１８】
この結果、前記中空本体と、真空源とは、鼻の分泌物により汚染されず、前記装置の各使用後に洗浄され殺菌される必要がない。
【００１９】
本発明の一実施形態では、前記鼻側末端部の第２の端部を封止している前記部材は、ラテックス又は塩化ビニルのような弾性的に変形可能な不浸透性膜からなっている。
【００２０】
前記鼻側末端部の第２の端部を封止している前記部材が、アコーディオンのように折りたたまれた、コートされた紙のような不浸透性の素材からなっていると、好都合である。
【００２１】
本発明の一実施形態では、前記鼻側末端部の第２の端部には、円筒状で軸方向の管状の延長部が備えられ、この延長部の内側には、真空の作用により、前記第２の端部の領域に位置している位置と、この第２の端部から離れた位置との間で移動可能なピストンが収容されている。
【００２２】
前記鼻側末端部が、はめ込みにより互いに固定される目的の２つの部分を有し、前記不浸透性膜が、はめ込みにより固定されたこれら２つの部分の間にクランプすることにより前記鼻側末端部に固定されていると好都合である。
【００２３】
本発明の一実施形態では、前記不浸透性膜は、はめ込みにより固定された前記２つの部分の間に形成されたハウジング内に保持されることを目的とした周方向のフランジを有している。
【００２４】
前記周方向のフランジが、前記鼻側末端部（２）を形成している前記２つの部分の一方の外壁に形成されている保持部材と協働することを意図されていることは、好都合である。
【００２５】
本発明の一実施形態では、前記鼻側部材（２）を形成している前記２つの部分は、分解されることができない接続を形成するために、つめと、対応する形状のハウジングとを有しているはめ込み手段を有している。
【００２６】
前記鼻側末端部が、真空が前記第２の端部を封止している前記変形可能な又は移動可能な部材にかけられなくなる場合に、前記鼻側末端部の中身を出すことを防止する逆止め弁を前記鼻側末端部の第１の端部に有していると、好都合である。
【００２７】
本発明の一実施形態では、前記逆止め弁は、前記真空チャンバ内に真空が発生されていないときに、ばねの作用により前記第１の端部の開口部に当接して維持されるボールからなっている。
【００２８】
前記鼻側末端部を前記中空本体に固定するための手段は、ねじ込みにより実行される。
【００２９】
本発明の一実施形態では、前記鼻側末端部を前記中空体に固定するための手段は、つめ、はめ込み、又は差込タイプ(de type baionnette)の手段である。
【００３０】
前記中空本体が、電気モータにより駆動され、前記真空チャンバ内に真空を発生させることを目的とする電気ポンプを収容していることが好都合である。
【００３１】
本発明の一実施形態では、前記電気モータは、前記中空本体に収容されている複数のバッテリ又は蓄電池により供給を受ける。
【００３２】
前記真空チャンバに、吸引管、例えば口内吸引管(buccale)を取り付けるための吸引末端部が備えられていることは好都合である。
【００３３】
本発明の一実施形態では、前記真空チャンバは、前記鼻側末端部の第２の端部を封止している前記変形可能な部材の変形を制限することができる壁により規定されている。
【００３４】
いずれにしても、本発明は、非限定的な例により、前記鼻の分泌物吸引装置の複数の実施形態を示している添付されている概略的な図面を参照して、以下の説明により容易に理解されるであろう。
【発明を実施するための最良の形態】
【００３５】
図１は、本発明による鼻水吸引装置１の第１実施形態を示している。  
この鼻の分泌物吸引装置１は、鼻側末端部２と、中空本体３とを有している。  
この鼻側末端部２は、円錐台(tronconique)形状の中空中央部分４を有し、この中空中央部分は、比較的小さな断面積の端部で、より小さな直径の第２の中空円錐台部分５を有している。この円錐台部分５は、比較的小さな断面積の端部で開口部６を有し、個人の鼻の中へと導入されるために適している。
【００３６】
中央の円錐台部分４は、比較的大きな断面積の端部で、円柱状の面を備えた部分により外面が規定されているカラー(couronne)７を有し、このカラーの外面は、ねじ山が設けられている。
【００３７】
このカラー７は、ラテックス又はポリ塩化ビニルから形成されていると好ましい、弾性的に変形可能で不浸透性膜８により防水して(de manie`re e’tanche)封止されている。  
この不浸透性膜８を鼻側末端部２に固定することは、形状の相補性により実行される。
【００３８】
本発明の他の実施形態によると、不浸透性膜８を鼻側末端部２に固定することは、接着、又は溶接により実行されることができると好都合であり、もしくは、これら２つの部分は、共に成形、又は射出成形されることさえできる。
【００３９】
中空本体３は、真空チャンバ９内に真空を生じさせることを目的とした電気ポンプ１０に接続された真空チャンバ９を規定している。  
この電気ポンプ１０は、この中空本体３内に収容されている複数のバッテリ１２により供給された電気モータ１１により駆動される。  
この電気モータ１１は、このモータ１１を確実に時間遅延させて動作させる制御手段と関連付けられている。この結果、モータ１１は、特定の持続時間の間だけ連続的に動作することができる。このことは、生じる真空を制限するためであり、この結果、モータ１１への損傷を防止するためである。
【００４０】
この持続時間を越えると、モータ１１は、前記制御手段により停止され、第２の特定の持続時間の後のみに再始動されることができる。
【００４１】
真空チャンバ４は、鼻側末端部２にねじ込むことを目的とした、この鼻側末端部２のカラー７の形状に相補的な形状のねじ付開口部１３を内部に有している。  
中空本体３の開口部１３は、そのねじ付の部分の延長で、鼻側末端部２がこの開口部１３にねじ込まれた場合に所定位置でロックする目的の周方向の停止部１４により規定されている。
【００４２】
鼻側末端部２は、結果として、取外し可能なように中空本体３に取付けられる。  
押しボタン１５が、その押込み位置で、複数のバッテリ１２による電気モータ１１への供給を可能とするために、中空本体３に設けられている。  
この結果、この押しボタン１５を押下した場合、電気ポンプ１０は、真空チャンバ９内に真空を発生させ、不浸透性膜８の変形を起こさせる。  
この不浸透性膜８が変形すると、真空が鼻側末端部２内に移動し、結果として、鼻の分泌物の吸引が生じる。
【００４３】
円錐台形状の部分５では、鼻側末端部２は、真空チャンバ９内に真空が発生させられていない場合に、この円錐台形状の部分５の開口部６に、ばね１７の作用で当接して維持されるボール１６からなる逆止め弁を有している。
【００４４】
図２に示されているように、ばね１７の固定領域は、鼻側末端部２の円錐台形状の部分５に頑丈に(en force)取付けられている別個の部品２４により形成されている。この別個の部品２４は、比較的大きな直径の円筒状の部分２５に、４つの同じ長さの一体的な突部１９により接続された円筒状で軸方向の部分１８により形成されている。
【００４５】
図３は、動作中の図１による装置を示している。  
真空が真空チャンバ９内に発生された場合、不浸透性膜８は、変形され、真空を鼻側末端部２に移動させる。  
ばね１７の圧縮が結果として生じ、それにしたがって、ボール１６は、もはや鼻側末端部２の円錐台形状の部分５の開口部６を封止せず、鼻の分泌物の吸引が可能となる。
【００４６】
真空が不浸透性膜８にかけられるのが止むと、ばね１７の作用を受けているボール１６は、円錐台形状の部分５の開口部６を再び封止し、この結果、鼻側末端部２の中身を出すこと(vidange)が防止される。
【００４７】
衛生の理由から、鼻側末端部２が使い捨てあることは好ましい。  
したがって、鼻の分泌物吸引装置１を使用後に、使用された鼻側末端部２を中空本体３からねじ取り、それからそれを新しい鼻側末端部２に交換することが可能である。
【００４８】
このように、前記中空本体と真空源とは、鼻の分泌物によって汚染されず、この装置を各使用後に洗浄し、消毒される必要はない。
【００４９】
真空チャンバ９は、壁２０により規定されており、真空チャンバ９と電気ポンプ１０との間の接続を可能にし、不浸透性膜８の変形を制限する余地が有る(susceptible)。
【００５０】
図４は、鼻側末端部２のカラー７を封止する部材の第２実施形態を示している。  
本発明のこの実施形態によると、カラー７は、アコーディオンのように折りたたまれたコートされた紙のような不浸透性の素材からなる変形可能な部材２１により防水するように封止されている。  
この変形可能な部材２１の鼻側末端部２への固定は、接着により実行される。
【００５１】
図５は、鼻側末端部２のカラー７を封止する部材の第３実施形態を示している。  
本発明のこの実施形態によると、カラー７には、内側にピストン２３が収容された円筒状で軸方向の延長部２２が備えられており、このピストン２３は、真空の作用で、カラー７の領域に位置している位置と、そこから離れた位置との間を移動可能である。
【００５２】
図６は、鼻の分泌物吸引装置１の第４実施形態を示している。  
この実施形態では、同一の部材は、同一の参照符号を有している。  
第１実施形態に対照的に、鼻側末端部２は、１つの代わりに、２つの部分２６、２７を有している。  
第１の部分２６は、第１実施形態と同様に、円錐台形状の中央の中空部分４と、第２の中空の円錐台形状の部分５と、開口部６と、ボール１６と、この円錐台形状の部分５に頑丈に取り付けられている部品２４とを有している。
【００５３】
この実施形態では、特に、円錐台形状の中央の中空部分４は、比較的大きな断面積の端部で、外面に第２の部分２７に固定するための手段が設けられた、円筒状で軸方向の管状の延長部２８を有している。
【００５４】
管状の延長部２８の外径は、中央の部分４の比較的大きな断面積の端部で、この中央の部分４の外径未満である。結果として、周方向のエッジ２９が形成され、第１の部分２６が第２の部分２７内にはめ込まれる場合に停止部として作用する。
【００５５】
第２の部分２７は、中空であり、ほぼ円錐台形状である。第２の部分２７は、中空本体３の開口部１３に密閉して取外し可能なように固定するための手段が備えられた第１の開いた端部と、第１の部分２６をはめ込むことを目的とした、管状の延長部２８の形状に相補的な形状の第２の端部とを有している。
【００５６】
ハウジング３０が、管状の延長部２８の外面に形成され、ハウジング３０の形状に対応した形状を備えたつめ(cliquet)３１が、部分２７の内面に形成されている。このつめ３１は、ハウジング３０内にはめ込むことを目的とし、これら２つの部材は、分解することができない部分２６、２７の間の接続を生じさせるためのはめこみ手段を形成している。
【００５７】
不浸透性膜８は、管状の延長部２８の領域にはめ込むことにより固定された２つの部分２６、２７の間に形成されたハウジング内に保持されることを意図された周方向のフランジ３２を有している。
【００５８】
このように、不浸透性膜８は、２つの部分２６、２７の間にクランプすることにより鼻側末端部２に固定され、２つの部分２６、２７の間の封止を確実とする。
【００５９】
本発明のこの実施形態によると、円錐台形状の部分５では、鼻側末端部２は、ボール１６のみからなる逆止め弁を有している。  
真空が不浸透性膜８にかけられることが止むと、ボール１６は、初期の形状を再び取る傾向を有するこの不浸透性膜８によりかけられる圧力の作用により、円錐台形状の部分５の開口部６を封止する。この結果、鼻側末端部２の中身を出すことを防止する。
【００６０】
鼻の分泌物吸引装置１の使用後、このように、使用された鼻側末端部２を中空本体３から取外し、それから、それを新しい鼻側末端部２と交換することができる。
【００６１】
本発明のこの実施形態によると、鼻の分泌物吸引装置を使用している間、前記膜８は、変形され、第２の部分２７の内面に張り付く(se plaquer)。結果として、鼻側末端部２を分解している間、この膜８は、圧縮されず、鼻の分泌物は、鼻側末端部２を出ることができない。この結果、鼻の分泌物が部分的に出ることを防止する。
【００６２】
図７は、鼻の分泌物吸引装置の第５実施形態を示している。  
本発明のこの実施形態によると、不浸透性膜８の周方向フランジ３２は、中央部分４の比較的大きい断面積の端部の領域で、第１の部分２６の外壁に形成された保持部材３３と協働することが意図されている。
【００６３】
２つの部分２６、２７は、分解されることができないように互いに固定されてはいなく、単にしっかりと取付けられている。  
したがって、結果として、鼻の分泌物吸引装置１を使用した後で、使用された鼻側末端部２を中空体３から取外し、それから、不浸透性膜８を部分２６から取外し、それを廃棄するために、この第１の部分２６を第２の部分２７から取外すことができる。
【００６４】
本発明のこの実施形態によると、不浸透性膜８のみが使い捨て用であり、鼻側末端部２は、鼻の分泌物吸引装置の各使用後に、洗浄され消毒されなければならない。
【００６５】
本発明が、例としての上述の実施形態に限定されないことは言うまでもなく、本発明は、それにもかかわらず、添付されている請求項により規定される保護の範囲に入る全ての変形例を含んでいる。
【図面の簡単な説明】
【００６６】
【図１】本発明による鼻の分泌物吸引装置の第１実施形態の組立前の縦断面図である。
【図２】図１のＩＩ−ＩＩ線に従った装置の断面図である。
【図３】図１による装置の、動作中の縦断面図である。
【図４】本発明の第２実施形態の縦断面の部分図である。
【図５】本発明の第３実施形態の縦断面の部分図である。
【図６】本発明の第４実施形態の縦断面の部分図である。
【図７】本発明の第５実施形態の縦断面の部分図である。
【図１】
2008518746.tif 000003
【図２】
2008518746.tif 000004
【図３】
2008518746.tif 000005
【図４】
2008518746.tif 000006
【図５】
2008518746.tif 000007
【図６】
2008518746.tif 000008
【図７】
2008518746.tif 000009
【国際調査報告】
2008518746.tif 000010
2008518746.tif 000011
2008518746.tif 000012
2008518746.tif 000013